(57)【特許請求の範囲】
【請求項１】
浴室における浴槽設置スペースの寸法を、浴槽の寸法と介助設備設置スペースの寸法以上に設定し、
浴槽設置スペースの浴槽長辺方向の中央部または端部のいずれかに位置変更可能に浴槽を固定させる位置固定手段を設け、
該位置固定手段は、前記浴槽設置スペースの一端部に、浴槽を寄せた時の他側の脚部の位置と、該浴槽設置スペースの他端部に、浴槽を寄せた時の一側の脚部の位置とが重なるように設定すると共に、
浴槽設置スペースの浴槽を設置した残りの部分に対して着脱、交換可能な介助設備を設けたことを特徴とする浴室構造。
【請求項２】
前記介助設備が、スノコ、カウンター、スライド式入浴補助機、回転盤、及び介護リフトのうちの少なくとも一つであることを特徴とする請求項１記載の浴室構造。
【請求項３】
前記介助設備は、左右ほぼ対称のものが用意されていることを特徴とする請求項１または２に記載の浴室構造。
【発明の詳細な説明】
【０００１】
【発明の属する技術分野】
この発明は、浴室構造に関するものである。
【０００２】
【従来の技術】
家庭用の浴室は、基本的に、浴槽が設置される浴槽設置スペースと、洗い場とを備えている。
【０００３】
そして、浴槽設置スペースの浴槽長辺方向の寸法は、一般に、浴槽自体の長辺の寸法とほぼ等しくされており、浴槽設置スペースに浴槽がきっちり収まるようになっている。
【０００４】
【発明が解決しようとする課題】
現在、少子化などによる高齢化社会の到来が社会問題となっており、各方面でその対策が急がれている。例えば、入浴者が高齢化などにより、健丈な状態から半身または全身の身体機能が低下あるいは麻痺した場合、上記のような一般的な浴室では、そのまま使い続けることができなくなるという問題が生じる。
【０００５】
そのために、従来の浴室構造では、浴槽の上部に簡易的に介護補助機器を設置するか、あるいは、浴室全体を改装工事する必要が生じる。例えば、特開平８−４３３１号公報では、浴槽を浴室の両端部に移動できようにし、カウンターのみを取り外し可能としている。しかし、特開平８−４３３１号公報のものでは、まだ対応力が不十分である。
【０００６】
また、例えば、入浴者の身体機能の低下が進み、片側麻痺から全身麻痺（寝たきり）となった場合にも、それによって介助の仕方が変ってくるので、異なる介護補助機器に変更するか、あるいは、浴室全体の更なる改装工事を行うかする必要が生じる。
【０００７】
そこで、本発明の目的は、上記の問題点を解消し、入浴者に応じて簡単に構成を変更することのできる浴室構造を提供することにある。
【０００８】
【課題を解決するための手段】
上記課題を解決するために、請求項１に記載された発明では、浴室における浴槽設置スペースの寸法を、浴槽の寸法と介助設備設置スペースの寸法以上に設定し、浴槽設置スペースの浴槽長辺方向の中央部または端部のいずれかに位置変更可能に浴槽を固定させる位置固定手段を設け、該位置固定手段は、前記浴槽設置スペースの一端部に、浴槽を寄せた時の他側の脚部の位置と、該浴槽設置スペースの他端部に、浴槽を寄せた時の一側の脚部の位置とが重なるように設定すると共に、浴槽設置スペースの浴槽を設置した残りの部分に対して着脱、交換可能な介助設備を設けたことを特徴としている。
【０００９】
このように構成された請求項１にかかる発明によれば、位置固定手段を用いて、浴槽設置スペースの中央部または端部のいずれかの位置に浴槽を固定させ、浴槽設置スペースの浴槽を設置した残りの部分に対して各種の介助設備を着脱、交換させるようにする。
【００１０】
これにより、簡単に浴室のレイアウトを変更することができる。しかも、入浴者の状況に応じてより入浴し易い構成を得ることができると共に、入浴者の状況の変化に応じた対応も容易となる。
そして、例えば、位置固定手段として、脚固定台を設ける場合でも、前記浴槽設置スペースの一端部に、浴槽を寄せた時の他側の脚部の位置と、該浴槽設置スペースの他端部に、浴槽を寄せた時の一側の脚部の位置とが重なるように設定されているので、該脚固定台の数を減らすことができる。
請求項２に記載された発明では、前記介助設備が、スノコ、カウンター、スライド式入浴補助機、回転盤、及び介護リフトのうちの少なくとも一つであることを特徴としている。
【００１１】
このように構成された請求項２にかかる発明によれば、スノコ、カウンター、スライド式入浴補助機、回転盤、及び介護リフトなどを利用して容易に介助をすることが可能となる。
【００１２】
請求項３に記載された発明では、前記介助設備は、左右ほぼ対称のものが用意されていることを特徴としている。
【００１３】
このように構成された請求項３にかかる発明によれば、右半身麻痺や左半身麻痺の入浴者に対応させることができる。
【００１４】
【発明の実施の形態１】
以下、本発明の具体的な実施の形態１について、図示例と共に説明する。
【００１５】
図１〜図７は、この発明の実施の形態１を示すものである。
【００１６】
まず、構成を説明すると、図１に示すように、ユニット式の浴室１は、床部２と、天井部と、手前側の壁と、奥側の壁３と両側壁４とで画成されている。そして、床部２は、手前側が洗い場５で、奥側が浴槽設置スペース６となっており、洗い場５と浴槽設置スペース６とは防水パンで一体的に作られている。この場合には、浴槽設置スペース６は洗い場５よりも低形成されており、低くなった浴槽設置スペース６には浴槽７が奥側の壁３に接するように設置されている。この際、浴槽７は、その長辺の方向（浴槽長辺方向８）を奥側の壁３と平行に向けて配置されている。また、手前側の壁には入口が形成されている。また、浴室１を画成する各壁は、壁パネルで構成されている。
【００１７】
そして、この実施の形態１のものでは、浴室１における浴槽設置スペース６の浴槽長辺方向８の寸法９を、浴槽７の長辺の寸法１０と、介助設備設置スペース（介助に必要とされる最低限のスペース）の寸法１１との和よりも大きい長さに設定する。具体的には、介助設備設置スペースは、ほぼ３００〜４００ｍｍとされているので、それ以上とする。好ましくは、介助設備設置スペースの寸法１１の２倍の６００〜８００ｍｍ程度を確保する。
【００１８】
更に、図２に示すように、浴槽設置スペース６の浴槽長辺方向８の中央部または端部のいずれかに位置変更可能に浴槽７を固定させる位置固定手段１２を設ける。
【００１９】
即ち、浴槽７底部の４隅にそれぞれ脚部１３を突設し、脚部１３を嵌合、収容可能な凹状の脚固定台１４を用意して、この脚固定台１４を、洗い場５よりも低く形成された浴槽設置スペース６における、浴槽７を前記中央部に設置した場合の脚部１３と対応する位置イ、および、浴槽７を両端部に設置した場合の脚部１３と対応する位置ロ，ハにそれぞれ取付けるようにする。なお、例えば、浴槽７を左寄せした時の右側の脚部１３の位置ロと、浴槽７を右寄せした時の左側の脚部１３の位置ハとが重なるようにすれば、脚固定台１４の数を減らすことができる。そして、脚固定台１４は、浴槽設置スペース６に対して、例えば、接着剤やネジ１５などで固定するようにする。ネジ１５などで脚固定台１４を着脱可能に取付けることにより、図３、図４に示すように、高さの異なる脚固定台１４ａ，１４ｂに交換可能となる。また、脚固定台１４を着脱可能とすれば、脚固定台１４は位置イ〜ハのうちのいずれか一つの位置に取付けておき、浴槽７の位置変更の都度、脚固定台１４を付替えさせるようにすることができる。
【００２０】
浴槽設置スペース６の浴槽７を設置した残りの部分（介助用スペースとなる部分）に対し、介助が必要ない場合や介助者が介助作業を行う場合などには、スノコ１６などを取付けて洗い場５との段差をなくすようにしておく。また、浴槽７の周囲には、エプロンボード１７などを取付けるようにする。
【００２１】
また、浴槽７の位置変更に伴い、浴槽７への給水、給湯のための水栓１８は、図５に示すように、奥側の壁３の浴槽長辺方向８の中央位置に設置するようにする。或いは、上記水栓１８は、フレキシブルホースの先端に取付けて移動可能としても良い。
【００２２】
そして、図６に示すように、洗い場５よりも低く形成された浴槽設置スペース６の任意の位置に浴室１の排水口１９を設け、浴槽７の排水口２０を開放端とする。また、必要に応じて、浴槽設置スペース６と洗い場５との境界部の洗い場５側の部分に浴槽設置スペース６と連続する排水ピット２１として形成し、排水ピット２１の上部に多数の開口を有する蓋２２を洗い場５と面一に取付けるようにする。
【００２３】
以上の基本的な構成に対し、浴槽設置スペース６の浴槽７を設置した残りの部分（介助用スペースとなる部分）に対して、着脱、交換可能な介助設備２３を各種用意しておき、介助が必要となった際に、入浴者（要介助者）の状況に応じた介助設備２３を選択して取付けるようにする。
【００２４】
その一例として、入浴者が右半身麻痺である場合に、例えば、図７、図８に示すように、介助設備２３として、カウンター２４とスライド式移乗台２５とを用意し、浴槽７を浴槽設置スペース６の浴槽長辺方向８の中央位置に設置し、スライド式移乗台２５を浴槽７の向かって左側に設置し、カウンター２４を浴槽７の向かって右側に設置するようにしている。なお、カウンター２４は内部を収納ボックスとしても良い。また、カウンター２４は手前側の部分に切欠部２６を有するものとしても良い。スライド式移乗台２５は、符号２４と同様のカウンターに対して、円盤状の座部２７が回転およびスライド溝２５ａに沿って浴槽短辺方向２８へスライド可能に取付けられたものである。なお、図に８示すように、浴槽７の奥側の辺部と両側壁４部分に手摺り２９（横手摺り）を取付けても良い。また、この場合には、カウンター２４側の側壁４部分に更に縦手摺り３０を設けるとなお良い。カウンター２４の代わりにスノコ１６を設けて、介助者が２方向介助作業を行い得るようにしても良い。
【００２５】
次に、この実施の形態１の作用について説明する。
【００２６】
入浴者が健常である場合、浴室のレイアウトに拘わらず、特に問題なく入浴することが可能である。
【００２７】
入浴者が、高齢化などにより健常な状態から半身または全身の身体機能が低下あるいは麻痺した場合に、入浴者の状況に応じて、浴室のレイアウトを変更する。
【００２８】
一般に、入浴者が半身麻痺である場合、麻痺した側に介助者が付いて、麻痺した身体機能を補うようにする必要がある。そのため右半身麻痺の場合には、入浴者にとって右側に介助者が付き、左半身麻痺の場合には、入浴者にとって左側に介助者が付くなどする。また、入浴者が全身麻痺（寝たきり）である場合には、頭側と足側に２名の介助者が付くなどする。
【００２９】
そして、介助者は洗い場５で介助を行うので、入浴者が右半身麻痺である場合には、右半身を手前（洗い場５側）にして入浴させる必要があり、浴槽７に向かって左側が頭、右側が足となるように入浴させることとなる。従って、この場合には、少くとも浴槽７に向かって左側に介助設備２３を設置する。そのために、例えば、浴槽７を浴槽設置スペース６の浴槽長辺方向８右側に寄せて固定し、浴槽７の左側に介助設備２３を設置するためのスペースを形成させる。
【００３０】
反対に、入浴者が左半身麻痺である場合には、左半身を手前（洗い場５側）にして入浴させる必要があり、浴槽７に向かって右側が頭、左側が足となるように入浴させることとなる。従って、この場合には、少くとも浴槽７に向かって右側に介助設備２３を設置する。そのために、例えば、浴槽７を浴槽設置スペース６の浴槽長辺方向８左端に寄せて固定し、浴槽７の右側に介助設備２３を設置するためのスペースを形成させる。
【００３１】
また、入浴者が全身麻痺（寝たきり）である場合には、浴槽７の両側に介助設備２３を設置する。そのために、浴槽７を浴槽設置スペース６の浴槽長辺方向８中央部に固定し、浴槽７の両側に介助設備２３を設置するためのスペースを形成させる。
【００３２】
なお、上記のレイアウトは、一般的なものであり、必ずしもこれに限るものではなく、入浴者に応じて個別に対応させることが可能である。
【００３３】
この実施の形態１のものでは、浴槽７の底部の４隅にそれぞれ突設した脚部１３を、浴槽設置スペース６の位置イ〜ハに取付けた凹状の脚固定台１４のいずれかに嵌合させることによって、浴槽７の位置を容易に中央部、右寄せ、左寄せのいずれかに変更し且つ固定することができる。
【００３４】
この際、例えば、浴槽７を左寄せした時の右側の脚部１３の位置ロと、浴槽７を右寄せした時の左側の脚部１３の位置ハとが重なるようにしておけば、脚固定台１４の数を減らすことができる。そして、ネジ１５などで脚固定台１４を着脱可能に取付けることにより、図３、図４に示すように、高さの異なる脚固定台１４ａ，１４ｂに交換し浴槽７の高さを容易に調整、変更することが可能となる。例えば、図３のように低い脚固定台１４ａを用いることにより、浴槽７に対するまたぎ込みの高さを低くして浴槽７への出入りを容易化することができる。また、図４のように高い脚固定台１４ｂを用いることにより、洗い場５から浴槽７の上面までの高さを車椅子の高さに合せて調整し、車椅子からの移動を容易化することができる。また、脚固定台１４を着脱可能とすれば、脚固定台１４は位置イ〜ハのうちのいずれか一つの位置に取付けておき、浴槽７の位置変更の都度、脚固定台１４を付替えさせるようにすることもできる。
【００３５】
そして、浴槽７への給水、給湯のための水栓１８を、図５に示すように、奥側の壁３の浴槽長辺方向８の中央位置に設置することにより、浴槽７の位置変更に拘わらず水栓１８を使用することが可能となる。或いは、上記水栓１８を、フレキシブルホースの先端に取付けることにより、浴槽７の位置変更に拘わらず水栓１８を使用することが可能となる。
【００３６】
また、図６に示すように、浴槽設置スペース６を洗い場５よりも低く形成しているため、浴槽７からの排水を全て浴槽設置スペース６で受けることができるので、浴槽設置スペース６の任意の位置に浴室１の排水口１９を設けておけば、浴槽７の排水口２０を開放端としておいても、支障なく排水口１９から排水させることができる。これにより、浴槽７の位置変更に拘わらず浴槽７からの排水を行わせることができる。
【００３７】
また、必要に応じて、浴槽設置スペース６と洗い場５との境界部の洗い場５側の部分に浴槽設置スペース６と連続する排水ピット２１として形成し、排水ピット２１の上部に多数の開口を有する蓋２２を取付けるようにすることにより、洗からの排水を効率良く浴槽設置スペース６へ導いて、排水口１９から排水させることができる。
【００３８】
より具体的に説明すると、入浴者が右半身麻痺である場合に、例えば、図７、図８に示すように、少くとも浴槽７の左側に介助設備設置スペースを確保する。この実施の形態１のものでは、浴室１における浴槽設置スペース６の浴槽長辺方向８の寸法９を、浴槽７の長辺の寸法１０と、介助設備設置スペース（介助に必要とされる最低限のスペース）の２倍の寸法１１との和に設定しているため、浴槽７を中央部に設置しても、浴槽７を右寄せして設置しても、浴槽７の左側に介助設備設置スペースを確保することができる。そこで、浴槽７を浴槽設置スペース６の浴槽長辺方向８の中央位置に設置することとし、スライド式移乗台２５を浴槽７の向かって左側に設置し、カウンター２４を浴槽７の向かって右側に設置する。なお、カウンター２４は内部を収納ボックスとしても良い。このようにすることにより、シャワーチェアなどの通常の棚などに収まらない大きなものを収納ボックスへ収納し洗い場５を広く使うことが可能となる。
【００３９】
そして、右半身麻痺の入浴者を入浴させる場合、介助者は、先ず、入浴者を浴槽７に向かって左側のスライド式移乗台２５の座部２７へ座らせ、座部２７を回転させて足が左側へ向くように入浴者の向きを変えつつ、座部２７を浴槽短辺方向２８奥側へスライドさせて、浴槽７の中央まで移動させ、しかる後に入浴者を足から浴槽７内へ入れる。
【００４０】
入浴者を浴槽７から出すときには上記と反対の手順で行うようにしても良いが、浴槽７に向かって右側に設置されたカウンター２４を利用して、浴槽７から出ようとする入浴者を一旦カウンター２４に座らせるなどして、入浴者を右側から出すようにしても良い。このようにすることにより、浴槽７へ入る時と出る時の動線が図８中矢印で示すようにすっきりしたものとなるので、入浴の介助が容易となる。また、カウンター２４の手前側の部分に切欠部２６を形成しそこに入浴者の足を退避させることにより、浴槽７から出ようとしている入浴者の足が介助者の邪魔になることを防止できるので、一層介助が容易となる。また、図８に示すように、浴槽７の奥側の辺部と両側壁４部分に手摺り２９（横手摺り）を取付けることにより、入浴者が機能の失われていない側の手で自分の体を支えることができるようになるので、より一層介助が容易となる。特に、カウンター２４側の側壁４部分に縦手摺り２９’を設けることにより、浴槽７を出た入浴者が体を起こそうとする際の支えとなるので、なお良い。
【００４１】
反対に、入浴者が左半身麻痺である場合には、例えば、図９に示すように、少くとも浴槽７の右側に介助設備設置スペースを確保するために、浴槽７を浴槽設置スペース６の浴槽長辺方向８の中央位置に設置するなどし、スライド式移乗台２５を浴槽７の向かって右側に設置し、カウンター２４を浴槽７の向かって左側に設置すれば良い。このようにすることにより、簡単に左半身麻痺の入浴者に対応させることができる。
【００４２】
【変形例１】
図１０、図１１はこの実施の形態１のカウンター２４の変形例であり、カウンター２４の上面に多数の貫通孔２４ａを整列配置して、手摺り２９を貫通孔２４ａの裏側からネジ止めすることにより、手摺り２９の位置を変更可能としている。また、貫通孔２４ａをカウンター２４の排水口として利用している。なお、この例では、浴槽７は浴槽設置スペース６の浴槽長辺方向８の中央位置に設置され、浴槽７の両側に対して手摺り２９を有するカウンター２４が配置されている。この場合において、左右のカウンター２４は同じものとすることができる。
【００４３】
図１２、図１３はこの実施の形態１のスライド式移乗台２５の変形例であり、スライド式移乗台２５のカウンターの上面に多数の貫通孔２５ｂを整列配置して、手摺り２９を貫通孔２５ｂの裏側からネジ止めすることにより、手摺り２９の位置を変更可能としている。また、上記貫通孔２５ｂを利用して背もたれ３０をネジ止めなどにより位置変更可能に取付けるようにしている。また、貫通孔２５ｂをカウンター２４の排水口として利用している。なお、図１０、図１１のカウンター２４に対しても、貫通孔２４ａを利用して背もたれ３０を取付させるようにすることも可能である。この例では、浴槽７は浴槽設置スペース６に対し右寄せして設置され、浴槽７の左側にスライド式移乗台２５が配置されている。この場合において、スライド式移乗台２５のカウンター部分の左右にスライド溝２５ａを形成しておけば、スライド式移乗台２５を浴槽７の左右のどちらにでも配置することが可能となる。
【００４４】
【変形例２】
介助設備２３には、上記のスノコ１６やカウンター２４やスライド式移乗台２５の他にも各種のものがあり、状況に応じて組み替えが可能となっている。その組み替え例を変形例２として以下に示す。
【００４５】
図１４（ａ）〜（ｄ）は、中央部に設置した浴槽７の向かって左側に形成された介助設備設置スペースに対し、回転盤３１と浴室専用の入浴介護リフト３２とを交換可能に保持する柱状の受け金具３３を取付けたものである。なお、受け金具３３は、カウンター３４内に収容させ、予めアンカーボルトで浴槽設置スペース６に固定させておくようにする。
【００４６】
このように、介助設備設置スペースに受け金具３３を取付けることにより、入浴者が右半身麻痺状態の時には、回転盤３１を用いて入浴介助を行い、全身麻痺（寝たきり）となったときには、回転盤３１を浴室専用の入浴介護リフト３２に取り替えて、入浴介護リフト３２を用いて入浴介護を行わせることができる。なお、向かって左側のカウンター２４に受け金具３３を設けて左半身麻痺の入浴者に対応させるようにすることも可能である。
【００４７】
図１５（ａ）〜（ｄ）は、右寄せした浴槽７の向かって左側に形成された介助設備設置スペースの２倍の大きさのスペースに対し、介助設備設置スペースの２倍の大きさのカウンター３５を設置し、このカウンター３５に対して、回転盤３６と汎用の入浴介護リフト３７とを取付けるための切欠部３８を形成したものである。
【００４８】
このように、浴槽７の向かって左側に介助設備設置スペースの２倍の大きさのカウンター３５を設置し、このカウンター３５に対して切欠部３８を形成することにより、入浴者が右半身麻痺状態の時には、回転盤３６を用いて入浴介助を行い、全身麻痺（寝たきり）となったときには、回転盤３６を取外すことにより、汎用の入浴介護リフト３２をそのまま浴室１へ搬入して入浴介護を行わせることができる。なお、浴槽７の向かって右側に介助設備設置スペースの２倍の大きさのカウンター３５を設置して左半身麻痺の入浴者に対応させるようにすることも可能である。
【００４９】
このように、この実施の形態１によれば、簡単に浴室のレイアウトを変更することができる。しかも、入浴者の状況に応じてより入浴し易い構成を得ることができると共に、入浴者の状況の変化に応じた対応も容易となる。
【００５０】
【発明の実施の形態２】
図１６〜図１８は、この発明の実施の形態２を示すものである。なお、前記実施の形態１と同一ないし均等な部分については、同一の符号を付して説明する。
【００５１】
まず、構成を説明すると、この実施の形態２のものでは、浴槽設置スペース６と洗い場５とを同一の高さにしている。そして、浴槽７の位置変更のために脚固定台１４を用いても良いが、この実施の形態２では、浴槽設置スペース６の前記各位置イ〜ハに直接、浴槽固定用凹部４０を形成している。なお、この際、例えば、浴槽７を左寄せした時の右側の脚部１３の位置ロと浴槽７を中央部に設置した時の左側の脚部１３の位置イとが重なるようにし、且つ、浴槽７を右寄せした時の左側の脚部１３の位置ハと浴槽７を中央部に設置した時の右側の脚部１３の位置イとが重なるようにして、浴槽固定用凹部４０の数を減らすようにしている。
【００５２】
また、図１８に示すように、浴槽７の排水口２０をジャバラ管４１を用いて浴室１の排水口１９に接続するようにしている。これにより、浴槽７の位置変更に拘わらず浴槽７からの排水を支障なく行わせることができる。
【００５３】
【変形例】
図１９は、この実施の形態２の排水部分の変形例であり、浴槽７を前記中央部に設置した場合の排水口２０と対応する位置ニ、および、浴槽７を両端部に設置した場合の排水口２０と対応する位置ホ，ヘの全てに対して浴室１の排水口４２を開口させるようにして、下方に突出された浴槽７の排水口２０を浴室１の排水口４２に挿入させるようにしたものである。そして、各排水口４２には、必要に応じて図２０、図２１に示すような弁体４３を取付け臭気の逆流を防止するようにする。上記弁体４３は、図２０に示すような放射状のスリットの入ったゴム膜４４でも良いし、図２１に示すようなバネなどで開閉する蓋板４５でも良い。このようにしても、浴槽７の位置変更に拘わらず浴槽７からの排水を支障なく行わせることができる。
【００５４】
このようにしても、上記実施の形態１と同様に簡単に浴室のレイアウトを変更することができる。しかも、入浴者の状況に応じてより入浴し易い構成を得ることができると共に、入浴者の状況の変化に応じた対応も容易となる。
【００５５】
なお、図７〜図１５に示す各種の介助設備２３を組み替えて使用できることは勿論である。
【００５６】
上記以外については、前記実施の形態と同様の構成を備えており、同様の作用・効果を得ることができる。
【００５７】
以上、この発明の実施の形態を図面により詳述してきたが、具体的な構成はこの実施の形態に限らず、この発明の要旨を逸脱しない範囲の設計の変更等があってもこの発明に含まれる。
【００５８】
例えば、高齢者用に限らず一般の介護用にも使用することが可能である。
【００５９】
【発明の効果】
以上説明してきたように、請求項１の発明によれば、簡単に浴室のレイアウトを変更することができる。しかも、入浴者の状況に応じてより入浴し易い構成を得ることができると共に、入浴者の状況の変化に応じた対応も容易となる。
そして、例えば、位置固定手段として、脚固定台を設ける場合でも、前記浴槽設置スペースの一端部に、浴槽を寄せた時の他側の脚部の位置と、該浴槽設置スペースの他端部に、浴槽を寄せた時の一側の脚部の位置とが重なるように設定されているので、該脚固定台の数を減らすことができる。
請求項２の発明によれば、スノコ、カウンター、スライド式移乗台、回転盤、及び介護リフトなどを利用して容易に介助をすることが可能となる。
【００６０】
請求項３の発明によれば、右半身麻痺や左半身麻痺の入浴者に対応させることができる、という実用上有益な効果を発揮し得る。
【図面の簡単な説明】
【図１】本発明の実施の形態１の斜視図である。
【図２】浴槽の位置固定手段を示す図１の概略正面図である。
【図３】低い脚固定台を使用した場合の図１の概略側面図である。
【図４】高い脚固定台を使用した場合の図１の概略側面図である。
【図５】水栓の位置を示す図１の概略正面図である。
【図６】排水部分を示す図１の概略側面図である。
【図７】介助設備を取付けた状態を示す斜視図である。
【図８】図７の概略平面図である。
【図９】介助設備を左右反対勝手とした図８と同様の図である。
【図１０】カウンターの変形例を示す平面図である。
【図１１】図１０の正面図である。
【図１２】スライド式移乗台の変形例を示す平面図である。
【図１３】図１２の正面図である。
【図１４】（ａ）〜（ｄ）は介助設備の組み替え例を示す斜視図である。
【図１５】（ａ）〜（ｄ）は介助設備の別の組み替え例を示す斜視図である。
【図１６】本発明の実施の形態２の斜視図である。
【図１７】浴槽の位置固定手段を示す図１６の概略正面図である。
【図１８】排水部分を示す図１６の概略正面図である。
【図１９】排水部分の変形例を示す図１６の概略正面図である。
【図２０】浴室の排水口に形成した弁体を示す斜視図である。
【図２１】浴室の排水口に形成した別の弁体を示す斜視図である。
【符号の説明】
１          浴室
６          浴槽設置スペース
７          浴槽
８          浴槽長辺方向
９〜１１    寸法
１２        位置固定手段
１６        スノコ
２３        介助設備
２４        カウンター
２５        スライド式移乗台
２９        手摺り
３１，３６  回転盤
３２，３７  介護リフト
【図１】
0003658217.tif 000002
【図２】
0003658217.tif 000003
【図３】
0003658217.tif 000004
【図４】
0003658217.tif 000005
【図５】
0003658217.tif 000006
【図６】
0003658217.tif 000007
【図７】
0003658217.tif 000008
【図８】
0003658217.tif 000009
【図９】
0003658217.tif 000010
【図１０】
0003658217.tif 000011
【図１１】
0003658217.tif 000012
【図１２】
0003658217.tif 000013
【図１３】
0003658217.tif 000014
【図１４】
0003658217.tif 000015
【図１５】
0003658217.tif 000016
【図１６】
0003658217.tif 000017
【図１７】
0003658217.tif 000018
【図１８】
0003658217.tif 000019
【図１９】
0003658217.tif 000020
【図２０】
0003658217.tif 000021
【図２１】
0003658217.tif 000022